(57)【要約】【課題】、使用済ＲＦＩＤカードからインレイを取り出す作業が容易となり、当該取り出し作業時にインレイが傷つくことが少なく、また、汎用のプリンターで印刷可能なＲＦＩＤカバーシートを得ること、及びこのような印刷を可能とする専用の印刷台紙を得る。【解決手段】ＲＦＩＤのインレイ２１を挿むＲＦＩＤ用カバーシートであって、表シート１２と、不透明度７０％以下の樹脂製裏シート１３からなり、前記表シートと前記裏シートを重ね合わせ、前記表シートの１の辺に沿って延びる帯状の固着領域１４を形成し、前記表シートと前記裏シートの対面する２つの面のいずれか一方面上であって、前記固着領域に隣り合う帯状領域と、前記固着辺に対面する辺に沿って延びる帯状領域に、粘着剤を塗付して外周粘着剤塗布領域１５を形成し、前記外周粘着剤塗布領域の全面を剥離紙で覆った。【選択図】図２
0003110137.tif 000002
【実用新案登録請求の範囲】
【請求項１】
ＲＦＩＤのインレイ(21)を挿むＲＦＩＤ用カバーシートであって、
前記インレイの全平面領域を覆うことが可能な方形平面形状である表シート(12)と
前記表シートと略同一平面形状で、不透明度７０％以下の樹脂製裏シート(13)からなり、
前記表シートと前記裏シートを重ね合わせ、前記表シートの１の辺の近傍に、前記辺に沿って延びる帯状の固着領域(14)を形成して前記辺を固着辺(41)とし、前記固着領域において前記表シートを前記裏シートを固着し、
前記表シートと前記裏シートの対面する２つの面のいずれか一方面上であって、前記固着辺に隣り合う２つの辺(42、43)の近傍に前記辺に沿って延びる帯状領域及び前記固着辺に対向する辺(44)の近傍に前記辺に沿って延びる帯状領域に、粘着剤を塗付して外周粘着剤塗布領域(15)を形成し、前記外周粘着剤塗布領域の全面を剥離紙で覆ったＲＦＩＤ用カバーシート(11)。
【請求項２】
前記表シートは合成樹脂製シートであり、前記表シートの表面であって、前記裏シートと対面する面の反対側表面はインクジェット方式により印刷が可能であることを特徴とする請求項１記載のＲＦＩＤ用カバーシート。
【請求項３】
前記表シートと前記裏シートの対面する２つの面のいずれか一方面上であり、前記外周粘着剤塗布領域の内側に１００ｍｍ２以下の面積で粘着剤を塗布して微小粘着剤塗布領域(17)を形成したことを特徴とする請求項１乃至２いずれか記載のＲＦＩＤ用カバーシート。
【請求項４】
請求項１乃至３いずれか記載のＲＦＩＤ用カバーシート印刷用の印刷台紙(6)であって、
大きさがＡ６版以上Ａ５版以下の台紙(30)と、
前記台紙の外形輪郭線と等しい外形輪郭線をもつ枠状シート(31)から構成され、
前記台紙に前記枠状シートを、互いの外形輪郭線を一致させて重ねて固着したものであり、
前記枠状シートの中央空間は、請求項１乃至３いずれか記載のＲＦＩＤ用カバーシートが入る大きさであり、前記中央空間部分の前記台紙上には弱粘着剤を塗布して弱粘着剤層(33)を形成し、
前記弱粘着剤層１５のＳＵＳ板での１８０度引き剥がし法による粘着力の中央値は０．２Ｎ／２５ｍｍ以上０．４Ｎ／２５ｍｍ以下であり、
前記枠状シートの厚さ(36)は、前記ＲＦＩＤ用カバーシートの厚さ(37)と略等しい請求項１乃至３いずれか記載のＲＦＩＤ用カバーシート印刷用の印刷台紙。
【考案の詳細な説明】
【技術分野】
【０００１】
本考案は、ＲＦＩＤのインレイを挿みＲＦＩＤカードとするためのＲＦＩＤ用カバーシート及び当該ＲＦＩＤ用カバーシートに印刷するために使用する印刷台紙に関するものである。
【背景技術】
【０００２】
ＲＦＩＤは、ＩＣタグ、ＲＦタグ、無線タグ、電子タグなどとも呼ばれるもので、これを貼付などされた物などと、その物に関する情報とを一体化させる目的で使用される。インレイとは、ＰＥＴなどの基材フィルム上にアンテナとアンテナに連結されたＩＣチップが固定されたＲＦＩＤの回路単位をいう。
【０００３】
従来のＲＦＩＤカードは、インレイが表面シートと裏面シートに挟まれて、これらシートに強く接着されている（例えば、特許文献１参照）
【特許文献１】特開２０００−６５６０号公報
【考案の開示】
【考案が解決しようとする課題】
【０００４】
従来ＲＦＩＤカードは鉄道の乗車券、大企業での従業員用ＩＤカードなど比較的長期間同一の目的に使用され、また同一種の多数カードが使用されてきた。しかし、ＲＦＩＤの用途が増え、短期間の使用（例えば展示会、集会来客者の入場証など）や、少数の使用（例えば小企業での従業員用ＩＤカードとしての使用など）の用途も増大している。
ＲＦＩＤはＩＣチップに記録されるデータを書き換えることができる。よって使用済みＲＦＩＤカードを回収し、ＲＦＩＤインレイを取り出して再利用すれば環境に負荷とならず、費用も節約できる。
【０００５】
従来のＲＦＩＤカードにおいては、インレイはカードの表基材、裏基材に強く接着または粘着しており、インレイを傷つけることなく、カードから取り出すことは困難であった。
また、従来のＲＦＩＤカードはインレイの挿し込みは大型機械を用いて熱や圧力を加えて行われており、ＲＦＩＤカードの表面や裏面は専用の印刷機械を用いて印刷されており、多様なＲＦＩＤカードを小量生産するには不都合であった。
【０００６】
そこで、本考案は、使用済ＲＦＩＤカードからインレイを取り出す作業が容易となり、当該取り出し作業時にインレイが傷つくことが少ないＲＦＩＤカード作成用のＲＦＩＤカバーシートを得ることを課題とする。
また、本考案は、専用の機械を使うことなく、インレイの挿し込みが行えるＲＦＩＤカバーシートを得ることを課題とする。
【０００７】
さらに、本考案は、日常事務用ないし家庭用のプリンターでＲＦＩＤカードの表面に印刷可能なＲＦＩＤカバーシートを得ることを課題とする。また、このような印刷を可能とするＲＦＩＤカバーシート用の印刷台紙を得ることを課題とする。
【０００８】
その他の本考案の課題は、以下の本考案の説明より明らかになる。
【課題を解決するための手段】
【０００９】
上記の課題を解決するため、本考案の一の態様にかかるＲＦＩＤ用カバーシートは、ＲＦＩＤのインレイ(21)を挿むＲＦＩＤ用カバーシートであって、前記インレイの全平面領域を覆うことが可能な方形平面形状である表シート(12)と前記表シートと略同一平面形状で、不透明度７０％以下の樹脂製裏シート(13)からなり、前記表シートと前記裏シートを重ね合わせ、前記表シートの１の辺の近傍に、前記辺に沿って延びる帯状の固着領域(14)を形成して前記辺を固着辺(41)とし、前記固着領域において前記表シートを前記裏シートを固着し、前記表シートと前記裏シートの対面する２つの面のいずれか一方面上であって、前記固着辺に隣り合う２つの辺(42、43)の近傍に前記辺に沿って延びる帯状領域及び前記固着辺に対向する辺(44)の近傍に前記辺に沿って延びる帯状領域に、粘着剤を塗付して外周粘着剤塗布領域(15)を形成し、前記外周粘着剤塗布領域の全面を剥離紙で覆ったものである。
【００１０】
本考案のＲＦＩＤ用カバーシートから作られるＲＦＩＤカードでは、インレイの全面ないしインレイの大部分の面は、表シートや裏シートに粘着せず、挟まれているだけである。さらに裏シートは不透明度が７０％以下であり、裏シートを通してインレイが透視される。このためＲＦＩＤカードのインレイの近傍をハサミ等で切り取れば、インレイは傷つくことなく、容易に取り出すことができる。
【００１１】
また本考案のＲＦＩＤ用カバーシートは、表シートと裏シートは固着領域が予め固着されており、外周粘着剤塗布領域に粘着剤を塗布してある。よって外周粘着剤塗布領域を覆う剥離剤を取り除き、インレイを中央に位置付け、表シートと裏シートを軽く圧着する操作のみでＲＦＩＤカードが完成する。
【００１２】
本考案において不透明度はＪＩＳ  Ｐ  ８１４８：２０００紙及び板紙―不透明度試験方法（紙の裏当て）―拡散照明法に規定する不透明度であり、同一試料について、単一シート視感反射率係数Ｒ０の固有視感反射率係数Ｒ∞に対する比率を百分率で表した値と定義される。
【００１３】
本考案にかかるＲＦＩＤ用カバーシートの好ましい実施様態にあっては、前記表シートは合成樹脂製シートであり、前記表シートの表面であって、前記裏シートと対面する面の反対側表面はインクジェット方式により印刷が可能であってもよい。
【００１４】
インクジェット方式のプリンターは一般事務用途に汎用されている。本好ましい実施態様にかかるＲＦＩＤ用カバーシートの表シートはインクジェット方式により印刷が可能なので、汎用のインクジェットプリンターを用いて印刷が可能であり、より多品種小量生産に適したものとなる。また、表シートを合成樹脂製にしたので、表シートと裏シートの双方が合成樹脂製となる。このため、粘着された表シートと裏シートを引き剥がす場合に、シートが層間剥離を起こすことが少なくなり、よりインレイの取り外しが容易なＲＦＩＤカードが出来上がる。
【００１５】
インクジェット印刷可能の合成樹脂シートとは、滲み性を特定範囲にするなどしてインクジェット方式による印刷機能を最大限に引き出すようにインク受容加工をした合成樹脂シートを意味する。
【００１６】
もっとも本考案にかかるＲＦＩＤ用カバーシートを構成する表シートはインクジェット印刷可能な表面を持つものに限られず、筆記による記入が可能な表面を持つもの、その他の印刷方式（例えば家庭用スクリーン印刷）が可能な表面を持つものでもよい。また、表シートの材質は、合成樹脂に限られず、紙、生分解性樹脂製シートであってもよい。
【００１７】
本考案にかかるＲＦＩＤ用カバーシートの好ましい実施様態にあっては、前記表シートと前記裏シートの対面する２つの面のいずれか一方面上であり、前記外周粘着剤塗布領域の内側に１００ｍｍ２以下の面積で粘着剤を塗布して微小粘着剤塗布領域(17)を形成してもよい。
【００１８】
本好ましい実施態様にかかるＲＦＩＤ用カバーシートは、微小粘着剤塗布領域を設けたので、インレイの挿み込み作業時にインレイを仮止めすることができ、いっそう挿み込み作業が容易なＲＦＩＤカバーシートを得ることができる。
【００１９】
微小粘着剤塗布領域は仮止めの役目を果たせばよく、強固に粘着するとインレイ取り外し時の妨げになりかねないため、その面積を１００ｍｍ２以下としている。また、当該微小粘着剤塗布領域は、固着領域と外周粘着剤塗布領域に取り囲まれた領域内であれば特に位置は限定されないが、当該領域の中央部分に形成することが好ましい。
【００２０】
もっとも本考案にかかるＲＦＩＤカバーシートにおいては、必ずしも微小粘着剤塗布領域を設けなくてもよい。例えば、外周粘着剤塗布領域の一部にインレイの一部を粘着して仮止めし、インレイを挿み込むこともできる。
【００２１】
本考案の一の態様にかかるＲＦＩＤ用カバーシート印刷用の印刷台紙は、本考案にかかるＲＦＩＤ用カバーシート印刷用の印刷台紙(6)であって、大きさがＡ６版以上Ａ５版以下の台紙(30)と、前記台紙の外形輪郭線と等しい外形輪郭線をもつ枠状シート(31)から構成され、前記台紙に前記枠状シートを、互いの外形輪郭線を一致させて重ねて固着したものであり、前記枠状シートの中央空間は、本考案にかかるＲＦＩＤ用カバーシートが入る大きさであり、前記中央空間部分の前記台紙上には弱粘着剤を塗布して弱粘着剤層(33)を形成し、前記弱粘着剤層１５のＳＵＳ板での１８０度引き剥がし法による粘着力の中央値は０．２Ｎ／２５ｍｍ以上０．４Ｎ／２５ｍｍ以下であり、前記枠状シートの厚さ(36)は、前記ＲＦＩＤ用カバーシートの厚さ(37)と略等しい本考案にかかるＲＦＩＤ用カバーシート印刷用の印刷台紙である。
【００２２】
一般事務用、家庭用のプリンターは名刺サイズ等の小さな紙は通紙不可能であることが多い。本印刷台紙を用いると名刺サイズなどの小さなＲＦＩＤ用カバーシートであっても、一般事務用の印刷プリンターで印字可能となる。したがってＲＦＩＤカードの多種、小量生産が一層容易となる。
【００２３】
弱粘着剤層の粘着力は、ＪＩＳ−Ｚ−０２３７に準じて測定される。当該数値は、ＳＵＳ板上での、１８０度引き剥がし法による測定値の中央値である。
【考案の効果】
【００２４】
本考案にかかるＲＦＩＤ用カバーシートによれば、使用済ＲＦＩＤカードからインレイを取り出す作業が容易となり、当該取り出し作業時にインレイが傷つくことが少ないＲＦＩＤカードを得ることができる。また、専用の機械を使うことなく、インレイの挿み込みが行えるＲＦＩＤ用カバーシートを得ることができる。
【００２５】
さらに、本考案にかかる印刷台紙によれば、通紙下限サイズ以下のＲＦＩＤ用カバーシートであっても、一般事務用のプリンターでＲＦＩＤ用カバーシートの印刷が可能となる。よって、本考案にかかるＲＦＩＤ用カバーシートと印刷台紙を使用すれば、一層多種少量生産に適したＲＦＩＤカードを作ることができる。
【考案を実施するための最良の形態】
【００２６】
以下、図面に基づき、本考案にかかるＲＦＩＤ用カバーシートと印刷台紙をさらに詳細に説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【００２７】
図１は、本考案にかかるＲＦＩＤ用カバーシートを使用して個人識別用のＲＦＩＤカード１を作成し、人がこれを装着している状態を示す説明図である。ＲＦＩＤカード１の表面には、インクジェットプリンターを使用して文字が描かれている。
【００２８】
図２はＲＦＩＤ用カバーシートを説明する斜視図である。
ＲＦＩＤ用カバーシート１１は表シート１２、裏シート１３から成る。表シート１２は、一方の表面にインクジェット印刷用のインク受容加工を施したポリエチレンテレフタレート（ＰＥＴ）樹脂製のシートである。当該インク受容加工面は、裏シート１３に対面する面の反対面（図２の紙面裏側）である。表シート１２は白色であり、不透明度は９５％である。
裏シート１３はＰＥＴ樹脂製の透明シートであり、不透明度は３％未満である。裏シートの材質は、ポリカーボネート、ポリエーテルサルフォンなどであってもよい。
【００２９】
本実施例では表シート１２と裏シート１３は過不足なく重なり合う同一平面形状である。本考案において表シートと裏シートは必ずしも同一平面形状でなくてもよく、一方が他方の輪郭線をはみ出して重なりあう大きさの関係にあってもよい。さらに、一部の輪郭線がはみ出し、他の一部の輪郭線が中に入る関係にあってもよい。しかし、印刷時のインク受容面（表シート１２の表面（図２の紙面裏側））の平面性の観点より、表シート１２は裏シート１３と同一であるか、表シート１２が裏シート１３よりも小面積であることが好ましい。
【００３０】
表シート１２と裏シート１３は積層され、１の辺である固着辺４１の近傍に固着辺４１に沿って延びる帯状の固着領域１４で互いに固着されている。固着は、接着剤、粘着剤を介する接着、粘着でもよく、加熱圧着、溶着などでもよい。粘着剤は外周粘着剤塗布領域に塗布する粘着剤と同一であってもよい。
【００３１】
表シート１２の裏シートと対面する面（裏面）には、固着領域１４を除いて全面にアクリル系粘着剤が塗布され、剥離紙が重ねられている。剥離紙はその３辺（４２、４３、４４）にそって３辺に平行な直線により抜き加工がなされ、さらに中央部で３ｍｍ×４ｍｍの方形に抜き加工がなされている。抜き加工とは、当該加工線で剥離紙を切断する加工をいう。剥離紙は紙、合成樹脂シートにシリコン樹脂又はフッ素樹脂を塗布した通常多用されている剥離紙である。ここで、辺４２と辺４３は固着辺４１に隣合う辺であり、辺４４は固着辺４１に対面する辺である。
【００３２】
このようにして裏シート１２の表面の固着領域１４を除く３辺近傍に当該３辺に沿って帯状の外周粘着剤塗布領域１５が設けられ、かつ第１剥離紙１６が外周粘着剤塗布領域１５の全面を覆う状態となっている。また同様に、微小粘着剤塗布領域１７が設けられ、かつ第２剥離紙１８が微小粘着剤塗布領域１７を覆う状態となっている。第２剥離紙１８はあっても無くてもよい。表シート１２と表シート１３が仮粘着されて取り扱いが容易となる観点から、第２剥離紙１８は無いほうが好ましい。
【００３３】
なお、粘着剤と剥離紙は裏シート１３側に設けてもよい。この場合であって、剥離紙の一部分を存置した状態でインレイを挟み込む場合には、透明な剥離紙を使用する。
また、上記の実施例では、表シート１２のほぼ全面に粘着剤を塗布しているが、外周粘着剤塗布領域にのみ、印刷法などにより粘着剤を塗布してもよい。そして、外周粘着剤塗布領域のみを剥離紙で覆ってもよい。
【００３４】
次に、ＲＦＩＤ用カバーシート１１の取り扱いを説明する。
表シート１２の表面に任意の文字、図などを印刷等で記入する。次に第２剥離紙１８を取り除いて挿み込むべきＲＦＩＤのインレイを表シート１２と裏シート１３の間に位置付け、微小粘着剤塗布領域１７に押し付けてインレイを仮止めする。次に第１剥離紙１６を取り除き、外周粘着剤塗布領域１５を露出させ、裏シート１３を押さえ付けることにより、表シート１２と裏シート１３を粘着する。
【００３５】
インレイの一例として以下のものを挙げることができる。厚さ５０μｍの合成紙２３上にスクリーン印刷により形成したアンテナ２２を、導電性ペーストを用いて接着する。このアンテナ２２の上にＩＣチップ２３を導電的に固定し、回路モジュールとなる部分を作製する。この回路モジュール上に厚さ３００μｍのＥＶＡ系接着シート、および厚さ５０μｍのポリエステルフィルムで保護層を形成し、インレイとする。上記以外のインレイであっても本考案にかかるＲＦＩＤ用カバーシートに挟み込むことができる。
【００３６】
図３はインレイを挿み込んだＲＦＩＤカードの裏面説明図である。
ＲＦＩＤカードの表シートと裏シートは固着領域１４と外周粘着剤塗布領域１５で固着、粘着している。２１はインレイ、２２はアンテナ、２３はＩＣチップである。
【００３７】
ＲＦＩＤカード１が不要となった場合には、ＲＦＩＤカード１を切断線２５の位置でハサミなどにより切断する。切断線２５の位置は限定されず、例えば、固着領域１４の輪郭線とインレイ２１の輪郭線の間であってもよい。このとき裏シート１３は不透明度７０％以下であり、インレイ２１が透視されるので、インレイ２１を誤って切断する事故を効率よく防止できる。またインレイ２１は微小粘着剤塗布領域１７で表シートに付着しているのみであり、インレイ２１に過剰な力を加えることなく、インレイ２１を表シートから取りはずすことができる。
【００３８】
また、インレイの取りはずしにあたり表シートと裏シートの粘着を剥離しなければならない場合が起こり得るので、このときシートが層間剥離を起こしにくい観点から、表シート１２の材質を合成樹脂にすることが好ましい。
【００３９】
次に、ＲＦＩＤ用カバーシート印刷用の印刷台紙を説明する。
図４（ａ）は当該印刷台紙の斜視説明図であり、（ｂ）はＡ―Ｂ線の端面説明図である。
【００４０】
印刷台紙６は、台紙３０と枠状シート３１からなる。台紙３０は、Ａ６版サイズ（約１００ｍｍ×約１４９ｍｍ）の紙である。Ａ６版は葉書サイズであり、汎用プリンターの通紙可能サイズの下限であることが多い。枠状シート３１は、その外形がＡ６版サイズの紙である。付着領域３２である中央空間は、ＲＦＩＤ用カバーシートの外周輪郭に微小なマージンを加えた大きさである。もっとも、付着領域３２の大きさは、ＲＦＩＤ用カバーシートが入ればよく、ＲＦＩＤ用カバーシートより大きくてもよい。印刷文字、図柄などの位置を決める観点などから、付着領域３２はＲＦＩＤ用カバーシートがちょうど入る大きさであることが好ましい。
【００４１】
台紙３０の表面の全面に、アクリレート系の弱粘着剤をコータなどで塗布して、弱粘着剤層３３が形成される。ＪＩＳ−Ｚ−０２３７に準じて測定した弱粘着剤層３３の粘着力（ＳＵＳ）の中央値は０．２Ｎ／２５ｍｍ以上０．４Ｎ／２５ｍｍ以下（１８０度引き剥がし法）である。本実施例に使用した弱粘着剤層３３の粘着力（ＳＵＳ）の中央値は０．３Ｎ／２５ｍｍ、ボールタックの中央値はＮｏ．６（Ｊ．Ｄｏｗ法）であった。
枠状シート３１は、当該弱粘着剤層３３の一部により、台紙３０に粘着される。このとき、枠状シート３１の輪郭線と台紙３０の輪郭線は一致させて積層されている。
【００４２】
次にＲＦＩＤ用カバーシート印刷用の印刷台紙６の使用方法を説明する。図５は印刷台紙６の使用状態を説明する断面説明図である。印刷台紙６の付着部分３２に、ＲＦＩＤ用カバーシート１１の裏面を貼り付ける。当該貼り付けは、弱粘着剤層３３により適度の粘着力で貼り付く。図中線分３７はＲＦＩＤ用カバーシート１１の厚さを示しており、当該厚さは、枠状シート３１の厚さ（図４（ｂ）中に線分３６で示す）とほぼ等しい。このため、印刷台紙６にＲＦＩＤ用カバーシート１１を貼り付けた一体物は、その厚さが印刷台紙の全域に渡りほぼ等しい。
【００４３】
印刷台紙６にＲＦＩＤ用カバーシート１１を貼り付けた一体物を、インクジェットプリンターなどに通紙して、ＲＦＩＤ用カバーシート１１の表面に印刷する。印刷後に、印刷台紙６からＲＦＩＤ用カバーシート１１を剥離する。このとき弱粘着層であり、軽い力で剥離され、また、粘着剤がＲＦＩＤ用カバーシート１１側に移転することもほとんどない。
このようにして、インクジェットプリンターの定格の最小通紙サイズよりも小さいＲＦＩＤ用カバーシートに、印字することができる。
【産業上の利用可能性】
【００４４】
本考案に係るＲＦＩＤ用カバーシートは、例えば展示会の入場者証や従業員用ＩＤカードなどＲＦＩＤを使用するカードの作成に利用することができる。
本考案に係るＲＦＩＤ用カバーシート印刷用の印刷台紙は、上記のＲＦＩＤ用カバーシートの印刷に利用することができる。
【図面の簡単な説明】
【００４５】
【図１】ＲＦＩＤ用カバーシートを使用して個人識別用のＲＦＩＤカード１を作成し、人がこれを接着している状態を示す説明図である。
【図２】ＲＦＩＤ用カバーシートを説明する斜視図である。
【図３】インレイを挿み込んだＲＦＩＤカードの裏面説明図である。
【図４】（ａ）は印刷台紙の斜視説明図であり、（ｂ）はＡ―Ｂ線の端面説明図である。
【図５】印刷台紙の使用状態を説明する断面説明図である。
【符号の説明】
【００４６】
１    ＲＦＩＤカード
６    印刷台紙
１１    ＲＦＩＤカバーシート
１２    表シート
１３    裏シート
１４    固着領域
１５    外周粘着剤塗布領域
１６    第１剥離紙
１７    微小粘着剤塗布領域
１８    第２剥離紙
２１    インレイ
２２    アンテナ
２３    ＩＣチップ
２４    基材
２５    切断線
３０    台紙
３１    枠状シート
３２    枠状シートの中央空間である付着領域
３３    弱粘着剤層
３６    枠状シートの厚さを示す線分
３７    ＲＦＩＤシート用カバーシートの厚さを示す線分
４１    固着辺
４２、４３、４４    辺
【図１】
0003110137.tif 000003
【図２】
0003110137.tif 000004
【図３】
0003110137.tif 000005
【図４】
0003110137.tif 000006
【図５】
0003110137.tif 000007